(57)【要約】【課題】生花を束ねて販売する場合、従来はバケツから出した後包装紙で包むだけか、生花の切り口部分をタオルやガーゼなどに水を含ませた吸水材で包むだけでは十分な水量が得られず、生花が鮮度をなくすことが多かった。【解決手段】ラッピングペーパーを用いて生花を保水する際、水のスペース確保のために一方の開口部の形状を波形にし、もう一方の開口部の形状を円形にした筒を採用した。【選択図】図１
2005177051.tif 000002
【特許請求の範囲】
【請求項１】
不透水性シートまたは不透水性袋を用いて生花を保水する際、水のスペース確保のために用いる筒であり、筒の一方の開口部の形状は円形を形成し、もう一方の開口部の形状は波形を形成することを特徴とする筒。前記筒に生花を差し入れ、前記波形の開口部付近を絞縮することにより、生花と筒が強固に把持される。
【請求項２】
上記波形の開口部を上にした状態で生花を挿し入れ下方より不透水性シートまたは不透水性袋で下から包んだとき、破損を防止するため、上記円形の開口部に縁部を設けたことを特徴とする請求項１記載の筒。
【請求項３】
上記波形開口部の付近を絞縮したとき、上記円形の開口部が変形しないようにするために、円形の開口部の付近に帯状の凸部を形成したことを特徴とする請求項１または請求項２のいずれか１項記載の筒。
【請求項４】
不透水性素材または耐水処理した素材で構成した請求項１から請求項３のいずれか１項記載の筒。
【発明の詳細な説明】
【技術分野】
【０００１】
この発明は、生花をしっかり把持し固定すると同時に十分な水量で保水できるようにしたものである。
【背景技術】
【０００２】
生花を束ねて販売する場合、従来はバケツから出した後包装紙で包むだけか、生花の切り口部分をタオルやガーゼなどに水を含ませた吸水材で包むだけでは十分な水量が得られず、生花が鮮度をなくすことが多かった。
【発明の開示】
【発明が解決しようとする課題】
【０００３】
本発明は、かかる実情に鑑みなされたもので、生花の本数に関わらず十分な水量を確保する生花を提供することを課題とする。
【課題を解決するための手段】
【０００４】
本発明は、上記課題を解決するため、不透水性シートまたは不透水性袋を用いて生花を保水する際、水のスペース確保のために筒を用い、当該筒の一方の開口部の形状を円形にし、もう一方の開口部の形状を波形にするという手段を採用した。前記筒に生花を差し入れ、前記波形の開口部付近を絞縮することにより、生花と筒が強固に把持される。
【０００５】
また、不透水性シートまたは不透水性袋の破損を防止するため上記円形の開口部に縁部を設けるという手段を採用した。
【０００６】
上記波形開口部の付近を絞縮したとき、上記円形の開口部が変形しないようにするために、該円形の開口部の付近に帯状の凸部を形成という手段を採用した。
【０００７】
筒は常に水に直接触れる部分であるため、不透水性素材または耐水処理した素材を用いるという手段を採用した。
【発明の効果】
【０００８】
以上に述べたように、本発明による筒によって束ねた生花を不透水性シートまたは不透水性袋で包み、輪ゴムや紐等で結び止めるだけで、生花を固定すると同時に十分な水量が確保できるようになった。
【発明を実施するための最良の形態】
【０００９】
以下、本発明にかかる好ましい実施形態を図面に従って説明する。図１は本発明の一実施形態の筒の斜視図である。生花を強固に把持する波形の開口部１と、もう一方の開口部である円形の開口部２と、不透水性シートまたは不透水性袋の破損を防止するための縁部３と、波形の開口部付近の把持部４を絞縮し矮小化したとき円形の開口部２が変形しないように、当該変形を緩和する凸部５により構成される。
図２は本発明の一実施形態の筒の断面図を示す。図３は波形の開口部方向から見た本発明の一実施形態の筒の正面図を示す。図４は把持部４を絞縮し矮小化したときの正面図を示す。
【００１０】
図５は本発明の筒と生花の固定を示す。生花Ｆを所望の長さに切り揃えた後、波形の開口部１から挿し入れ、輪ゴムや紐等７で把持部４を絞縮し固定する。このとき筒は波形に形成されているため、容易に矮小化させることができる。また、円形の開口部２から長くはみ出した生花の茎を調整することも可能である。
【００１１】
図６は不透水性シートまたは不透水性袋８によりラッピングした後の生花を示す。図５のように固定した生花を下方より不透水性シートまたは不透水性袋８でラッピングした上から、更に輪ゴムや紐等７で把持部４を絞縮して生花Ｆを強固に把持させた後、波形の開口部側９より水を注ぎ保水することが可能になる。
【００１２】
図３および図４に示すとおり、波形の開口部１の大きさは無段階に調整できるため、生花の本数の多寡に関わらず、波形の凹凸を利用して強固に生花を把持できる。生花の本数が少ないときは筒の形状は円錐形になるが、生花の本数が多いときと同じ効果がある。
【００１３】
図７は本発明の筒をラッピングした後に生花Ｆを入れる方法を示す。本発明の筒を不透水性シートまたは不透水性袋８でラッピングし、把持部４の位置で輪ゴム等６により仮止めをし、生花を挿し入れた後把持部４を更に輪ゴムや紐等で強固に絞縮し固定する。
【００１４】
保管や輸送を有利にするため、本発明の筒に図８に示すようなテーパーを付けることにより多数の筒を積み重ねて小さくまとめることができる。
【００１５】
円形の開口部２の付近に帯状の凸部５を形成することにより波形の開口部を絞縮し矮小化したとき、円形の開口部の変形を抑制する効果がある。
【００１６】
円形の開口部２の変形が抑制されることにより、円形の開口部２を下にして机上に載置しても倒れないためそのまま装飾とすることも可能である。
【００１７】
本発明の筒は常に水に触れる部分であるため、素材は不透水性のプラスチック素材が望ましいが、耐水性のある素材または耐水処理を施した素材でも対応することが可能である。
【００１８】
「他の実施形態」
上記各実施形態では波形の山の数は６個を例に説明したが、これに限定するものではなく、絞縮したときに容易に矮小化する形態であれば何個でも可能である。例えば図９のように、多く付与してもよい。
【００１９】
また、波形の開口部１の形態はこれに限定するものではなく、図１０，図１１，図１２のように、絞縮したときに容易に矮小化する形態であれば採用可能である。
【図面の簡単な説明】
【００２０】
【図１】この発明の一実施形態を示す斜視図である。
【図２】この発明の一実施形態を示す断面図である。
【図３】この発明の一実施形態を示す正面図である。
【図４】図３の状態から把持部で波型の開口部を矮小化したときの正面図
【図５】筒と生花の固定状態を示したの斜視図である。
【図６】図５の状態からラッピングした後の斜視図である。
【図７】ラッピングの後に生花を挿し入れる方法を示す斜視図である。
【図８】テーパーを付与した本発明の筒の斜視図である。
【図９】波形の開口部の波の山の数を変えた実施形態例を示す。
【図１０】波形の開口部の形状を変えた例を示す。
【図１１】波形の開口部の形状を変えた例を示す。
【図１２】波形の開口部の形状を変えた例を示す。
【符号の説明】
【００２１】
１  波形の開口部
１’別形状の開口部
２  円形の開口部
３  縁部
４  把持部
５  凸部
６  輪ゴム
７  紐
８  不透水性シートまたは不透水性袋
Ｆ  生花
【図１】
2005177051.tif 000003
【図２】
2005177051.tif 000004
【図３】
2005177051.tif 000005
【図４】
2005177051.tif 000006
【図５】
2005177051.tif 000007
【図６】
2005177051.tif 000008
【図７】
2005177051.tif 000009
【図８】
2005177051.tif 000010
【図９】
2005177051.tif 000011
【図１０】
2005177051.tif 000012
【図１１】
2005177051.tif 000013
【図１２】
2005177051.tif 000014